(57)【特許請求の範囲】
【請求項１】
周囲の光がカセット内部へ流入するのを防止する光遮蔽手段と、回転可能に支持されたフイルムスプールと、該スプールを保持するために該スプールに係合し、且つ該スプールを解放するために該スプールから離脱するように移動可能に支持されたロック手段とを含んで成るフイルムカセットにおいて、
前記光遮蔽手段は周囲の光がカセット内部に流入するのを防止するように閉鎖動作を行い、且つ解放動作を行うと共に、前記光遮蔽手段の閉鎖動作に応答して前記ロック手段を前記スプールに係合するように移動させるカム手段を具備し、前記ロック手段は、一時的に変形する弾性手段を具備し、ロック手段が前記カム手段によって前記スプールに係合するように移動されるのを防止し、前記光遮蔽手段が強制的に閉鎖され、もって前記光遮蔽手段はロック手段が阻害された場合でも閉塞可能であることを特徴とするフイルムカセット。
【請求項２】
前記スプールはフイルム巻取方向及び反巻取方向に回転可能であり、前記弾性手段は一時的に変形する一体的な手段からなり、ロック手段が前記カム手段によって前記スプールに係合するように移動されるのを防止し、前記光遮蔽手段が強制的に閉鎖され、もって前記光遮蔽手段はロック手段が阻害された場合でも閉塞可能であることを特徴とする請求項１に記載のフイルムカセット。
【請求項３】
前記光遮蔽手段は第１枢動軸の回りに解放及び閉鎖移動するように枢動可能に取り付けられ、且つ前記ロック手段は前記第１枢動軸とほぼ平行な第２枢動軸の回りに前記スプールに対し係合・離脱移動をするように枢着されていることを特徴とする請求項１又は２に記載のフイルムカセット。
【請求項４】
前記ロック手段は、前記スプールに係合する対称形状の突出部を有し、且つ該スプールは、それぞれ連続する歯を備えた歯付周囲部を有し、これらの歯は対称形状に形成されていて、前記スプールがフイルム反巻取方向及びフイルム巻取方向に回転する際、前記突出部を隣接する２つの歯の間に受け入れ、且つ前記突出部をこれらの２つの歯の間から放出するように構成されていることを特徴とする請求項２に記載のフイルムカセット。
【発明の詳細な説明】
【０００１】
【産業上の利用分野】
本発明は写真の分野に関し、更に詳しくは、その回りにフイルムストリップが巻回されたフイルムスプールを具備するフイルムカセットに関する。
さらに本発明は、フイルムスプールの回転をロックするスプールを有し且つフイルムのカセット内部への出入りを許容する光遮蔽ドアを具備するフイルムカセットに関する。
【０００２】
【従来の技術】
１９９２年５月１９日に発行された米国特許第５，１１５，２６８号に開示されているフイルムカセットは、フイルム出入り通路を介して周囲の光が流入するのを防止する光拘束プラッシュと、フイルム巻取及びフイルム反巻取方向に回転可能に支持されたフイルムスプールと、スプールを保持・開放するためにスプールに係合し且つスプールから離脱するように移動可能に支持されたロック爪とを有する。スプールは共通軸のラチット輪及び非対称な形状を有する歯車を有する。ロック爪は、一端でもって枢動可能に取り付けられ且つ反対端に非対称な形状の止め部を有する剛性のあるビーム部材であることは明らかである。ロック爪の湾曲スプリングアーム部は止め部を有する剛性ビームの端部から延びており、隣接する２つの歯の間へ止め部をバイアスさせてスプールを保持している。隣接する２つの歯の間から止め部を除去するために、ロック爪の係合解放部が剛性のビーム部材をスプリングアーム部による反対方向への付勢に抗して枢動回転させる。そして係合解放部は突出部をラチェト輪から離した状態に維持するために回転位置に保持される。係合開放部が解放された時、スプリングアーム部は自由に剛性ビーム部材を枢動し、突出部をスプール再保持のために隣接する２つの歯の間へ戻す。
【０００３】
【発明が解決しようとする課題】
上述の米国特許第５，１１５，２６８号において、ロック手段のビーム部材は明らかに剛性であり、ラチェット輪の歯及びビーム部材の突出部は非対称の形状でありフイルム反巻取方向へのスプールの強制的な回転動作はビーム部材をおそらくふらつかせることとなるであろう。
【０００４】
また、この米国特許第５，１１５，２６８号特許では、フイルムカセットはフイルムスプールが反巻取方向に回転した時先端の突出していないフイルム先端部がカセット内部から外部へ前進することを可能ならしめる。しかしながら、フイルム先端部が光拘束プラッシュに対してつぶされる可能性があり、このような場合はフイルム先端部はカセット内部から外部へ前進することができない。更に、フイルム先端部がカセットの内部へ数回出入りする場合は、光拘束手段としての有効性を失う原因となる。
【０００５】
【課題を解決するための手段】
上記の課題を達成するために、本発明によれば、周囲の光がカセット内部へ流入するのを防止する光遮蔽手段と、回転可能に支持されたフイルムスプールと、該スプールを保持するために該スプールに係合し、且つ該スプールを解放するために該スプールから離脱するように移動可能に支持されたロック手段とを含んで成るフイルムカセットにおいて、
前記光遮蔽手段は周囲の光がカセット内部に流入するのを防止するように閉鎖動作を行い、且つ解放動作を行うと共に、前記光遮蔽手段の閉鎖動作に応答して前記ロック手段を前記スプールに係合するように移動させるカム手段を具備し、前記ロック手段は、一時的に変形する弾性手段を具備し、ロック手段が前記カム手段によって前記スプールに係合するように移動されるのを防止し、前記光遮蔽手段が強制的に閉鎖され、もって前記光遮蔽手段はロック手段が阻害された場合でも閉塞可能であることを特徴とするフィルムカセットが提供される。
【０００６】
請求項２によると、前記スプールはフイルム巻取方向及び反巻取方向に回転可能であり、前記弾性手段は一時的に変形する一体的な手段からなり、ロック手段が前記カム手段によって前記スプールに係合するように移動されるのを防止し、前記光遮蔽手段が強制的に閉鎖され、もって前記光遮蔽手段はロック手段が阻害された場合でも閉塞可能であることを特徴とする。
【０００７】
請求項３によると、前記光遮蔽手段は第１枢動軸の回りに解放及び閉鎖移動するように枢動可能に取り付けられ、且つ前記ロック手段は前記第１枢動軸とほぼ平行な第２枢動軸の回りに前記スプールに対し係合・離脱移動をするように枢着されていることを特徴とする。
請求項４によると、前記ロック手段は、前記スプールに係合する対称形状の突出部を有し、且つ該スプールは、それぞれ連続する歯を備えた歯付周囲部を有し、これらの歯は対称形状に形成されていて、前記スプールがフイルム反巻取方向及びフイルム巻取方向に回転する際、前記突出部を隣接する２つの歯の間に受け入れ、且つ前記突出部をこれらの２つの歯の間から放出するように構成されていることを特徴とする。
【０００８】
【実施例】
本発明はフイルムカセットにおいて好適に実施したものを示している。フイルムカセットの特徴は良く知られているため、以下の説明では、特に開示した実施例を直接構成し又は協働する要素のみについて指摘する。しかしながら、他の要素は当業者に知られている種々の形態を採りうるものと理解すべきである。
【０００９】
図面において、図１〜図３はフイルムカセット１を示し、フイルム出入口５を有するカセットシェルないしハウジング３と、このフイルム出入口からカセット内部へ周囲の光が流入するのを防止する光遮蔽ドア７と、カセットシェル内部にてフイルム反巻取及び巻取方向Ｗに回転可能に支持されたフイルムスプール９と、スプールの回転を阻止するために該スプールを保持ないし維持するロック装置１１とを含む。
【００１０】
フイルムスプール９は、それぞれの中間スペースによって区画された連続的な歯１５から成る歯付周囲部を備えたスプールコアないしハブ１３を有する。歯１５は個々に同一かつ対称な（非対称でない）形状を有する。図１参照のこと。
ロック装置１１は単一片部材であり、第１スプリングアーム１９、この第１スプリングアームよりも一層複雑な形状の第２スプリングアーム２１、及びこの第２スプリングアームの比較的剛性のある支持延長部２２から成る。第１スプリングアーム１９と第２スプリングアームの比較的剛性のある支持延長部２２とは共通のベース２３に概ね収斂している。ロック装置１１は軸ピン２５又はボール・ソケット（図示せず）のまわりに枢動可能にベース２３にて支持されている。２つのスプリングアーム１９及び２１は圧縮応力による変形の後そのサイズ及び形状を回復することができる。第１スプリングアーム１９は自由端２７、及びこの自由端とベース２３との間に位置するカム追随面２９を有する。第２スプリングアーム２１は角度を形成する２つの辺３３及び３５を有する自由端３１を有し、その比較的剛性のある支持延長部２２はその自由端とベース２３との間に位置する対称形状の突出部３７を有する。
【００１１】
角度を形成する２つの辺４１及び４３を有する規制突起部３９はカセットシェル３の内部に固定されている。図１及び図２に示すように、規制突起部３９の角度を形成する辺４１は第２スプリング脚２１の自由端３１の角度を形成する辺３５に接触するようにされており、比較的剛性のある支持延長部２２の突出部３７を歯１５の隣接する２つの歯の間の中間スペース１７の何れかの中に保持する。これはフイルムの反巻取及び巻取方向Ｕ及びＷにスプール９が回転すのを実質上防止するためにスプールコア１３を保持ないし維持することにより行われる。しかしながら、図３に示すように、フイルムスプール９はフイルム反巻取及び巻取方向Ｕ及びＷに強制的に回転されることが可能であり、その間に突出部３７が位置する２つの隣接する歯１５の何れか一方がその突出部をこれらの２つの歯を分離している特定のスペース１７から放出するようにしている。
【００１２】
光遮蔽ドア７は、軸ピン４５のまわりを閉鎖方向に移動可能に支持されており、周囲の光がフイルム出入口５を介してカセット内部へ流入するのを防止し、且つフイルムのカセットの内部への出入りを許容するように同ピンのまわりに開方向へ移動可能に支持されている。ドア７の軸ピン４５はロック装置１１の軸ピン２５と並行に延びている。共軸のカム４７はドア７と一体的に形成されており、図３及び図１に見られるようにドアが閉じられ、ロック装置１１を枢動する際、第１スプリングアーム１９のカム追随面２９を押圧するカム面４９を有する。これは、通常は、第２スプリングアーム２１の自由端３１が規制突起部３９を乗り越え自由端の角度部の辺３３をこの規制突起部３９の角度辺４３から離し、自由端の角度部の辺３５を規制突起部の角度部の辺４１に接触するようにもたらすこととなる。同時に、比較的剛性のある延長部２２の突出部３７は隣接する２つの歯１５の間のスペース１７の何れか１つに位置することとなる。
【００１３】
光遮蔽ドア７には、ドアが図１に示すように閉じられたときに、カセットシェルの内側に固定された対応の突起５５及び５７を受け入れ、ドアを閉じた状態に解除可能に保持するためのノッチ５１及び５３がそれぞれ設けられている。ドア７を押し開くと、ノッチと突起との係合状態を解削する。或いは、他の突起手段を設けてもよい。
【００１４】
図１及び図２から始まって、光遮蔽ドア７が開放位置にあるとき、そのカム面４９は第１スプリング脚１９のカム追随面２９から外れる。しかしながら、第２スプリング脚２１は比較的剛性のある支持・延長部２２の突起部３７を２つの隣接する歯１５の間のスペース１７の何れか１つに保持し続ける。というのは、第２スプリング脚の自由端３１の角度部の辺３５は規制突起部３９の角度部の辺４１に接触しているからである。このようにして、ロック装置１１は図２に示す位置に止まる。
【００１５】
その後図３に示すように、フイルムスプール９が反巻取方向Ｕに回転すると、その間に比較的剛性のある支持・延長部２２の突起部３７が位置している２つの歯１５の何れか一方がこれらの２つの歯を分離している特定のスペース１７から突出部を放出する。即ち、第２スプリング脚２１の自由端３１は規制突起部３９を乗り越え、従って自由端の角度部の辺３５を規制突起部の角度部の辺４１から離れ、且つ自由端の角度部の辺３３を規制突起部の角度部の辺４３に接触するようにもたらす。このようにして、ロック装置１１は図２及び図３に見られるように、枢動する。
【００１６】
フイルムスプール９が反巻取方向Ｕに回転するが、ドア７が閉じられている場合は、その間に比較的剛性のある支持・延長部２２の突起部３７が位置している２つの歯１５の何れか一方が、これらの２つの歯を分離している特定のスペース１７から突出部を放出する。（これは、第１スプリング脚１９の形状によって可能になる）。従って、第２スプリング脚２１の自由端３１は規制突起部３９を乗り越え、従って自由端の角度部の辺３５を規制突起部の角度部の辺４１から離れ、且つ自由端の角度部の辺３３を規制突起部の角度部の辺４３に接触するようにもたらす。しかしながら、ロック装置１１はドア７が開放されているときは、図３に示すようにドアのカム面４９が第１スプリング脚１９のカム追随面２９に対して接触し続けているので、自由に枢動することが出来ない。そこで、フイルムスプール９が回転を続ける際に、第１スプリング脚１９の弾性によって比較的剛性のある支持・延長部２２の突起部３７を次の有効なスペース１７に戻し、その結果第２スプリング脚２１の自由端３１を規制突起部３９を越えて戻ることとなる。その結果、ロック装置１１のみならず、ドア７もふらつくことはなくなり、開放位置に押しやられることもない。
【００１７】
ドア７が閉じられている時、そのカム面４９は第１スプリング脚１９のカム追随面２９を押圧し、図３及び図１に見られるようにロック装置１１を枢動させる。これは、通常、第２スプリング脚２１の自由端３１をして規制突起部３９を乗り越えさせ、従って自由端の角度部の辺３３を規制突起部の角度部の辺４３から離し、且つ自由端の角度部の辺３５を規制突起部の角度部の辺４１に接触するようにもたらす。同時に、比較的剛性のある支持・延長部２２の突起部３７は歯１５の隣接する２つの歯の間のスペース１７の何れか１つに位置する。
【００１８】
ドア７が閉じられているが、比較的剛性のある支持・延長部２２の突起部３７の先端が歯１５の何れか１つの先端に接合している場合は、規制突起部３９を乗り越えることが出来ない。従ってロック装置１１は図１に示すように枢動することは出来ない。しかしながら、ドア７は第１スプリング脚１９によってロック装置をふらつかせることなく、閉鎖位置に強制されている。そして、フイルムスプール９が巻取方向Ｗに回転することにより比較的剛性のある支持・延長部２２の突起部３７がスペース１７の１つに受け入れられるのを可能にする。同時に、第２スプリング脚２１の自由端３１は規制突起部３９を乗り越え、従って、自由端の角度部の辺３３を規制突起部の角度部の辺４３から離し、且つ自由端の角度部の辺３５を規制突起部の角度部の辺４１に接触するようにもたらす。このようにして、ロック装置１１は図３及び図１に見られるように枢動する。
【００１９】
以上、本発明の添付図面を参照して実施例について詳細に説明したが、本発明は上記の実施例に限定されるものではなく、本発明の精神ないし範囲内において種々の形態、変形、修正等が可能であることに留意すべきである。
【図面の簡単な説明】
【図１】本発明の好適実施例にかかるスプールロック手段及び光遮蔽ドアを具備したフイルムカセットの断面図であって、ロック位置におけるドア閉鎖及びスプールロック状態を示す。
【図２】図１と類似の図であり、ロック位置におけるドア開放及びスプールロック状態を示す。
【図３】図１と類似の図であり、非ロック位置におけるドア開放及びスプールロック状態を示す。
【符号の説明】
１…フイルムカセット
３…カセットシェル
５…フイルム出入口
７…光遮蔽ドア
９…フイルムスプール
１１…ロック装置
１３…スプールコア
１５…歯
１７…中間スペース
１９…第１スプリングアーム
２１…第２スプリングアーム
２２…比較的剛性のある支持・延長部
２３…スプリングアームのベース
２５…軸ピン
２７…第１スプリングアームの自由端
２９…カム追随面
３１…第１スプリングアームの自由端
３３…自由端３１の角度部の辺
３５…自由端３１の角度部の辺
３７…突出部
３９…規制突起部
４１…規制突起部の角度部の辺
４３…規制突起部の角度部の辺
４５…軸ピン
４７…共軸ピン
４９…カム面
５１…ドアのノッチ
５３…ドアのノッチ
５５…カセットシェルからの突起
５７…カセットシェルからの突起
Ｕ…フイルム反巻取方向
Ｗ…フイルム巻取方向
【図１】
0003542629.tif 000002
【図２】
0003542629.tif 000003
【図３】
0003542629.tif 000004